(57)【特許請求の範囲】
【請求項１】
セキュリティ制御手段とエンジン制御手段との間で照合を実施し、照合成立を条件に、前記セキュリティ制御手段が前記エンジン制御手段によるエンジンの始動を許可する車両盗難防止システムにおいて、
前記セキュリティ制御手段と前記エンジン制御手段との間で前記照合が成立し、且つ、前記エンジン制御手段と他の制御手段との間で他の照合が成立したことを条件に、前記セキュリティ制御手段が前記エンジン制御手段によるエンジンの始動を許可し、
前記セキュリティ制御手段は、前記エンジン制御手段と前記他の制御手段との間で前記他の照合が成立したことを条件に、前記エンジン制御手段との間で前記照合を実施する
ことを特徴とする車両盗難防止システム。
【請求項２】
前記エンジン制御手段は、エンジン始動操作が行われる毎に、前記他の照合を実施する前記他の制御手段をランダムに変更する
請求項１に記載の車両盗難防止システム。
【請求項３】
前記エンジン制御手段は、エンジン始動操作が行われる毎に、前記他の制御手段として複数の制御手段の中から一部の制御手段を選択し、その選択した制御手段とのみ前記他の照合を実施する
請求項１又は２に記載の車両盗難防止システム。
【請求項４】
前記セキュリティ制御手段は、エンジン始動操作を契機に電子キーとの間でキー照合を行い、
前記エンジン制御手段は、前記セキュリティ制御手段と前記電子キーとの間で前記キー照合が成立したことを条件に、前記他の制御手段との間で前記他の照合を実施する
請求項１〜３のいずれか一項に記載の車両盗難防止システム。
【発明の詳細な説明】
【技術分野】
【０００１】
本発明は、セキュリティ制御手段とエンジン制御手段との間で照合を実施し、照合成立を条件に、セキュリティ制御手段がエンジン制御手段によるエンジンの始動を許可する車両盗難防止システムに関する。
【背景技術】
【０００２】
特許文献１には、エンジン始動操作を契機にイモビライザＥＣＵがキー照合を行い、キー照合が成立すると、イモビライザＥＣＵとエンジンＥＣＵとの間で照合を実施し、照合成立を条件に、イモビライザＥＣＵがエンジンＥＣＵによるエンジンの始動を許可する車両盗難防止システムが開示されている。
【０００３】
車両オーナは、自車の電子キーを所持することで、車外でのキー照合の成立を経て解錠されたドアから乗車できる他、車内に設置されたエンジン始動用のプッシュスイッチを操作してエンジンを始動できるようになる。
【先行技術文献】
【特許文献】
【０００４】
【特許文献１】特開２００７−１７０１６２号公報
【発明の概要】
【発明が解決しようとする課題】
【０００５】
他車からイモビライザＥＣＵ、エンジンＥＣＵ、電子キーをセットで交換すると、エンジン始動が可能となる。
本発明は、このような問題点に着目してなされたものであって、その目的は、防盗性の向上を可能にした車両盗難防止システムを提供することにある。
【課題を解決するための手段】
【０００６】
上記課題を解決する車両盗難防止システムは、セキュリティ制御手段とエンジン制御手段との間で照合を実施し、照合成立を条件に、前記セキュリティ制御手段が前記エンジン制御手段によるエンジンの始動を許可する車両盗難防止システムにおいて、前記セキュリティ制御手段と前記エンジン制御手段との間で前記照合が成立し、且つ、前記エンジン制御手段と他の制御手段との間で他の照合が成立したことを条件に、前記セキュリティ制御手段が前記エンジン制御手段によるエンジンの始動を許可することをその要旨としている。
【０００７】
この構成によれば、セキュリティ制御手段とエンジン制御手段との間で照合を実施することに加え、エンジン制御手段と他の制御手段との間で他の照合を実施することにより、アタック対象の制御手段に当該他の制御手段が含まれることになる。これにより、アタック対象の制御手段が増えるため、防盗性を向上できる。
【０００８】
上記車両盗難防止システムについて、前記エンジン制御手段は、エンジン始動操作が行われる毎に、前記他の照合を実施する前記他の制御手段をランダムに変更することとしてもよい。
【０００９】
この構成によれば、アタック対象の制御手段を絞り込むことができず、セット交換の範囲が広がることになる。したがって、防盗性をさらに向上できる。
上記車両盗難防止システムについて、前記エンジン制御手段は、エンジン始動操作が行われる毎に、前記他の制御手段として複数の制御手段の中から一部の制御手段を選択し、その選択した制御手段とのみ前記他の照合を実施することとしてもよい。
【００１０】
この構成によれば、エンジン制御手段が他の制御手段の全てとの間で他の照合を実施するのではなく、エンジン始動操作が行われる毎に選択する一部の制御手段とのみ他の照合を実施することで、他の照合に要する時間の増加が抑えられる。したがって、エンジン始動性の低下を抑制しつつ、防盗性を向上できる。
【００１１】
上記車両盗難防止システムについて、前記セキュリティ制御手段は、前記エンジン制御手段と前記他の制御手段との間で前記他の照合が成立したことを条件に、前記エンジン制御手段との間で前記照合を実施することとしてもよい。
【００１２】
この構成によれば、エンジン制御手段と他の制御手段との間で他の照合が成立しない限り、セキュリティ制御手段とエンジン制御手段との間で照合が実施されない。したがって、セキュリティ制御手段とエンジン制御手段との間での照合の秘匿性を向上できる。
【００１３】
上記車両盗難防止システムについて、前記セキュリティ制御手段は、エンジン始動操作を契機に電子キーとの間でキー照合を行い、前記エンジン制御手段は、前記セキュリティ制御手段と前記電子キーとの間で前記キー照合が成立したことを条件に、前記他の制御手段との間で前記他の照合を実施することとしてもよい。
【００１４】
この構成によれば、車両オーナは、自車の電子キーを所持してエンジン始動操作を行うことで、キー照合の成立を経てエンジンを始動できるようになる。したがって、利便性とセキュリティ性を両立できる。
【発明の効果】
【００１５】
本発明によれば、防盗性を向上できる。
【図面の簡単な説明】
【００１６】
【図１】車両盗難防止システムを示すブロック図。
【発明を実施するための形態】
【００１７】
以下、車両盗難防止システムの一実施の形態について説明する。
図１に示すように、車両盗難防止システム１は、車両オーナが所持する電子キー２との間でキー照合を行うイモビライザＥＣＵ３を備えている。電子キー２は、車載機から車外或いは車内の通信エリアに発信された呼び掛け信号を受けて電子キー２に固有のキーＩＤを含む応答信号を返信する他、車載機からエンジン始動用のプッシュスイッチ付近の極限られた通信エリアに発信された起動用電波を受けて電子キー２に内蔵されたトランスポンダからトランスポンダコードを返信する。キーＩＤとトランスポンダコードは共に電子キー２に固有のキー情報であり、少なくとも一方が車載ＥＣＵに登録済のキー情報と一致したとき、キー照合が成立したことになる。
【００１８】
イモビライザＥＣＵ３は、自らが電子キー２との間でトランスポンダコードの照合を行う他、電子キー２との間でキーＩＤの照合を行う図示しないスマートＥＣＵからキーＩＤの照合結果を取得する。前者の場合、イモビライザＥＣＵ３は、電子キー２との間で直接的にキー照合を行うとともに、後者の場合、イモビライザＥＣＵ３は、スマートＥＣＵを通じて間接的にキー照合を行うことになる。そして、イモビライザＥＣＵ３は、上記プッシュスイッチによるエンジン始動操作を契機に電子キー２との間でキー照合を行い、キー照合が成立すると、車内通信ネットワーク上にキー照合が成立したことを示すキー照合成立信号を出力する。イモビライザＥＣＵ３はセキュリティ制御手段に相当する。
【００１９】
上記車内通信ネットワークには、イモビライザＥＣＵ３の他、エンジンＥＣＵ４が接続されている。同ネットワーク上の信号は、当該ネットワークに接続された複数のＥＣＵ間で共有される。ＥＣＵ間で共有される信号には、上記キー照合成立信号の他、エンジン始動操作の検出信号等が含まれる。エンジン始動操作の検出信号は、当該ネットワークに接続された図示しない電源ＥＣＵから出力される。
【００２０】
エンジンＥＣＵ４は、上記キー照合成立信号を取得すると、当該エンジンＥＣＵ４と共に他のネットワークに接続された複数のＥＣＵ５〜７の中からエンジン始動操作毎にランダムに１つのＥＣＵを選択し、その選択したＥＣＵとの間で照合を実施する。ＥＣＵ５〜７には、それぞれに固有の照合用暗号コードが内蔵されており、エンジンＥＣＵ４は、選択したＥＣＵのみを対象に暗号コードの照合を実施する。そして、エンジンＥＣＵ４は、照合が成立すると、当該エンジンＥＣＵ４と共にイモビライザＥＣＵ３が接続された上記ネットワーク上に暗号コード照合成立信号を出力する。エンジンＥＣＵ４はエンジン制御手段に相当し、ＥＣＵ５〜７はそれぞれ他の制御手段に相当する。
【００２１】
イモビライザＥＣＵ３は、上記暗号コード照合成立信号を取得すると、エンジンＥＣＵ４との間で照合を実施する。そして、イモビライザＥＣＵ３は、エンジンＥＣＵ４との間で照合が成立したことを条件に、エンジンＥＣＵ４にエンジン始動許可信号を出力しつつ、エンジンＥＣＵ４によるエンジンの始動を許可する。
【００２２】
次に、車両盗難防止システム１の作用について説明する。
エンジン始動操作が行われると、図１に丸数字１で示すように、イモビライザＥＣＵ３がキー照合を行う。
【００２３】
上記キー照合が成立すると、丸数字２で示すように、エンジンＥＣＵ４がＥＣＵ５〜７のどれか１つとランダムで照合（他の照合に相当）を実施する。
上記他の照合が成立すると、丸数字３で示すように、イモビライザＥＣＵ３とエンジンＥＣＵ４との間で照合を実施し、照合成立を条件に、イモビライザＥＣＵ３がエンジンＥＣＵ４によるエンジンの始動を許可する。
【００２４】
以上説明したように、本実施の形態によれば、以下の効果を奏することができる。
（１）イモビライザＥＣＵ３とエンジンＥＣＵ４との間で照合を実施することに加え、エンジンＥＣＵ４とＥＣＵ５〜７との間で他の照合を実施することにより、アタック対象の車載ＥＣＵに当該ＥＣＵ５〜７が含まれることになる。これにより、アタック対象の車載ＥＣＵが増えるため、防盗性を向上できる。
【００２５】
（２）エンジンＥＣＵ４は、エンジン始動操作が行われる毎に、他の照合を実施する車載ＥＣＵをＥＣＵ５〜７の中でランダムに変更する。この構成によれば、アタック対象の車載ＥＣＵを絞り込むことができず、セット交換の範囲が広がることになる。したがって、防盗性をさらに向上できる。
【００２６】
（３）エンジンＥＣＵ４は、エンジン始動操作が行われる毎に、ＥＣＵ５〜７の中から１つのＥＣＵを選択し、その選択したＥＣＵとのみ他の照合を実施する。この構成によれば、エンジンＥＣＵ４がＥＣＵ５〜７の全てとの間で他の照合を実施するのではなく、エンジン始動操作が行われる毎に選択する１つのＥＣＵとのみ他の照合を実施することで、他の照合に要する時間の増加が抑えられる。したがって、エンジン始動性の低下を抑制しつつ、防盗性を向上できる。
【００２７】
（４）イモビライザＥＣＵ３は、エンジンＥＣＵ４とＥＣＵ５〜７との間で他の照合が成立したことを条件に、エンジンＥＣＵ４との間で照合を実施する。この構成によれば、エンジンＥＣＵ４とＥＣＵ５〜７との間で他の照合が成立しない限り、イモビライザＥＣＵ３とエンジンＥＣＵ４との間で照合が実施されない。したがって、イモビライザＥＣＵ３とエンジンＥＣＵ４との間での照合の秘匿性を向上できる。
【００２８】
（５）エンジンＥＣＵ４は、イモビライザＥＣＵ３と電子キー２との間でキー照合が成立したことを条件に、ＥＣＵ５〜７との間で他の照合を実施する。この構成によれば、車両オーナは、自車の電子キー２を所持してエンジン始動操作を行うことで、キー照合の成立を経てエンジンを始動できるようになる。したがって、利便性とセキュリティ性を両立できる。
【００２９】
尚、上記実施の形態は、次のように変更して具体化することも可能である。
・エンジンＥＣＵ４は、上記実施の形態によるＥＣＵ５〜７の中からエンジン始動操作毎にランダムに２つのＥＣＵを選択し、その選択した２つのＥＣＵとの間で他の照合を実施してもよい。この場合も、３つ全てのＥＣＵとの間で他の照合を実施する訳ではないため、他の照合に要する時間の増加が抑えられることになる。
【００３０】
・上記実施の形態によるＥＣＵ５〜７から対象を広げ、全ての車載ＥＣＵのそれぞれに、エンジンＥＣＵ４との間での他の照合に用いる固有の暗号コードを持たせ、エンジンＥＣＵ４は、当該全ての車載ＥＣＵの中からエンジン始動操作毎にランダムに１つ又は複数のＥＣＵを選択し、その選択したＥＣＵとの間で他の照合を実施してもよい。
【００３１】
・エンジンＥＣＵ４は、エンジン始動操作毎に異なる個数のＥＣＵを選択し、その選択した全てのＥＣＵとの間で他の照合を実施してもよい。
【符号の説明】
【００３２】
１…車両盗難防止システム、２…電子キー、３…イモビライザＥＣＵ（セキュリティ制御手段）、４…エンジンＥＣＵ（エンジン制御手段）、５〜７…ＥＣＵ（他の制御手段）。
【図１】
0006471079.tif 000002